(57)【特許請求の範囲】
【請求項１】
打ち出された遊技球がその表面を流下する遊技盤と、前記遊技盤に設けられ、遊技における所定条件の成立を契機として実施される大当たり抽選の抽選結果に基づいて動作する可動役物装置とを備えた遊技機であって、
前記可動役物装置は、
前記遊技盤の表面に沿って水平方向に延伸するよう配設された非磁性円筒体と、
前記非磁性円筒体内に設けられ、前記非磁性円筒体とともに回動する支持ロッドと、
前記非磁性円筒体および前記支持ロッドを、回転タイミング、回転角度、回転方向を選択しつつ回転駆動せしめる回転駆動手段と、
前記支持ロッド上に設けられて前記非磁性円筒体の半径方向に沿った磁化方向を有する電磁石と、
前記電磁石を、励磁タイミング、励磁期間、励磁強さ、を選択しつつ励磁する励磁手段と、
前記非磁性円筒体の下方に設けられ、上方に開口部を備える箱状の収納部と、
前記収納部に収納されて磁性片を備えた小吸着体と、
を備え、
前記小吸着体は、前記励磁手段により励磁された前記電磁石の作用により前記電磁石に向けて引き寄せられて前記非磁性円筒体に吸着されることを特徴とする遊技機。
【請求項２】
前記収納部は、各々が連設する複数の小収納部を含み、
前記複数の小収納部の各々には、互いに種類の異なる小吸着体が収納され、
前記複数の小収納部の各々は前記非磁性円筒体の長手方向をよぎる方向において移動自在であり、
更に、前記抽選結果に基づき選択された１の小収納部を前記非磁性円筒体の直下に位置決めする位置決め手段を有することを特徴とする請求項１記載の遊技機。
【請求項３】
前記電磁石は複数であって、前記非磁性円筒体の円周方向かつ長手方向において互いに異なる位置に配置され、
前記励磁手段は、前記電磁石のうちの少なくとも１を選択的に励磁することを特徴とする請求項１又は２に記載の遊技機。
【発明の詳細な説明】
【技術分野】
【０００１】
本発明は、遊技機の役物に関し、特に電磁石が発生する磁力を利用して小吸着体を吸着せしめる可動役物装置に関する。
【背景技術】
【０００２】
パチンコ機の一種として一般的に知られているいわゆるセブン機と称される機種は、遊技盤の中央部に液晶表示装置等による表示画面を備えており、遊技球が始動入賞口に入賞すると大当たり抽選を開始し、その抽選結果に基づいて表示画面上の図柄が変動を開始して（報知期間の開始）、表示画面上の図柄が例えば「７７７」等の所定の図柄で停止表示した場合に（報知期間の終了）、大当たりが確定し、遊技者にとって有利な遊技状態に移行するものである。更にこの表示画面において、変動表示中の図柄とは別の図柄（キャラクタ図柄等）を表示することで大当りの出現を予兆する演出報知や、リーチ状態において行われる「リーチアクション」と称される演出報知を行うものもある。これらの表示は、遊技者に大当りの出現を期待させるための演出を行うものである。
【０００３】
特許文献１には、液晶表示装置によるリーチアクション中に当該表示画面上において図柄変動の状況を報知する手段が開示されている。
【特許文献１】特開２００２−２１０２０１号公報
【発明の開示】
【発明が解決しようとする課題】
【０００４】
しかしながら、現在知られているパチンコ機の殆どは、液晶表示装置等の表示画面上に図柄やキャラクタを表示させて上記した如き演出表示を行うものであり、様々な演出表示の提案がなされる一方、どれもみな類似したものであり、当初の斬新さやインパクトは薄れつつある。
【０００５】
本発明は上記した点に鑑みてなされたものであり、液晶表示装置等の表示画面上の画像によらず、実際に動きのある遊技演出を行う斬新な可動役物装置を提供することを目的とする。
【課題を解決するための手段】
【０００６】
本発明による遊技機は、打ち出された遊技球がその表面を流下する遊技盤と、該遊技盤に設けられ、遊技における所定条件の成立を契機として実施される大当たり抽選の抽選結果に基づいて動作する可動役物装置とを備えた遊技機であって、該可動役物装置は、遊技盤の表面に沿って水平方向に延伸するよう配設された非磁性円筒体と、非磁性円筒体内に設けられ、この非磁性円筒体とともに回動する支持ロッドと、非磁性円筒体および支持ロッドを、回転タイミング、回転角度、回転方向を選択しつつ回転駆動せしめる回転駆動手段と、支持ロッド上に設けられて非磁性円筒体の半径方向に沿った磁化方向を有する電磁石と、この電磁石を、励磁タイミング、励磁期間、励磁強さ、を選択しつつ励磁する励磁手段と、非磁性円筒体の下方に設けられ、上方に開口部を備える箱状の収納部と、収納部に収納されて磁性片を備えた小吸着体とを備え、該小吸着体は、励磁手段により励磁された電磁石の作用により電磁石に向けて引き寄せられて前記非磁性円筒体に吸着されることを特徴とする。
【発明を実施するための形態】
【０００７】
以下、本発明の実施例について添付図面を参照して説明する。尚、以下に説明する実施例は、いわゆるセブン機と称される遊技機であるが、本発明はこれに限定されるものではない。
【実施例１】
【０００８】
図１は遊技機の一例としてのパチンコ機１０の概略正面図である。パチンコ機１０は、本体枠１１と、本体枠１１の前面にガラス等の透明窓を含む窓枠（図示せず）が開閉自在に設けられて、遊技者が遊技盤１２を視認できるようにするとともに、遊技盤１２を外部から保護している。遊技盤１２の下方には、遊技盤上に発射されるべき遊技球を一時貯留する上皿１３が設けられている。上皿１３には、賞球払出口（図示せず）が設けられ、ここから賞球として払い出された遊技球が排出される。上皿１３の下方には下皿１４が設けられ、上皿１３で貯留しきれなかった賞球が下皿１４に排出されるようになっている。下皿１４の右側には操作ハンドル１５が取り付けられており、遊技者が、操作ハンドル１５に手を添えて右に回すことにより発射装置（図示せず）が稼動し、上皿１３に貯留された遊技球が、上皿１３の右側に配列されながら発射装置に導かれ１球ずつ発射される。
【０００９】
遊技盤１２のほぼ中央部には、枠部材１６によって遊技盤１２の他の空間と隔てられている中央役物装置１７が設けられている。図２は、図１におけるＡ−Ａ線の断面を図の矢印方向から見た断面図であり、図２に示す如く、枠部材１６によって中央役物装置１７の内部に凹状の空間１７ａが形成されており、その奥には図柄表示装置としての液晶表示装置１８が設けられている。液晶表示装置１８は、液晶表示により例えばキャラクタ等の絵を表示したり、数字、記号、模様等を描いた３つのリールが回転、停止しているように見える図柄を表示する。数字や記号は、所定の条件に従って変動して停止する。図柄が例えば「７７７」等の所定の図柄で停止すると大当たりが確定し、遊技者にとって有利な遊技状態に移行する。
【００１０】
中央役物装置１７の内部の液晶表示装置１８の下方には、本発明による可動役物装置３０が設けられている。可動役物装置３０は遊技状態に応じて演出表示をおこなうものであり、その詳細の構成および動作については後述する。
【００１１】
中央役物装置１７の下方には始動入賞口１９が設けられており、ここに遊技球が入賞すると、入賞センサ（図示せず）によって入賞が検出され、所定数の賞球がパチンコ機１０より払い出されるとともに、液晶表示装置１８に表示される図柄が変動を開始して大当たり抽選が実施される。
【００１２】
始動入賞口１９の下方にはアタッカ２０が設けられ、その左右には通常入賞口２１が設けられている。通常入賞口２１に入賞すると、入賞センサ（図示せず）によって検出され、所定数の賞球が払い出される。アタッカ２０は、通常は開閉部材により閉鎖され入賞されないようになっており、大当たり抽選の結果、大当たりが確定した場合に開閉部材が一定期間開き、遊技球が入賞できるようになっている。この期間にアタッカ２０へ入賞した球数に応じて賞球が払い出される。
【００１３】
いずれの入賞口にも入賞しなかった遊技球はアウト口２２に没収される。また、パチンコ機１０には、電飾装置（図示せず）、スピーカ２３が設けられており、遊技の進行に応じて、音や光によって様々な演出を行っている。また、遊技盤１２の裏面には、大当たり抽選、液晶表示装置１８に表示される図柄の制御、各種演出の制御、賞球の制御および本発明の可動役物装置３０の動作制御等を行う主制御装置が設けられている。
【００１４】
以下において本発明の可動役物装置３０について図１〜図６を参照しつつ説明する。図１および図２に示す如く可動役物装置３０は、中央役物装置１７内に設けられた液晶表示装置１８の下方に遊技盤１２の盤面に沿って水平方向に延伸する円筒体３１を含んでいる。円筒体３１は、後述する電磁石４２が発生させる磁力により、着磁しないようにプラスチック、アルミニウム等の非磁性体により形成されている。図３に示す如く、円筒体３１には空洞部が形成されており、その内部には円柱形状の支持ロッド４１が設けられている。支持ロッド４１の一端には回転軸部４３が設けられており、モータ５０の回転駆動力が伝達されるようになっている。すなわち、支持ロッド４１はこのモータ５０により長手方向に沿った中心線を回転軸として回転駆動する。パチンコ機１０の全体の制御を司る主制御装置８０は、遊技状態や他の装置の動作タイミング等に応じて、モータ５０の回転駆動指令および回転駆動方向を示す回転制御信号をモータ駆動回路６０に供給し、モータ駆動回路６０は当該回転制御信号に基づき回転駆動電力をモータ５０に供給することでモータ５０の駆動制御がなされる。円筒体３１と支持ロッド４１は各々に嵌合部（図示せず）を有し、円筒体３１の内部に支持ロッド４１が挿入された状態で互いに結合している。従って、円筒体３１は支持ロッド４１とともにモータ５０の回転駆動により回転動作を行う。また、図１に示す如く、モータ５０は、中央役物装置１７内に設けられた前面板２４の背面側に設けられ、遊技者からは視認できないようなっている。
【００１５】
次に図３に示す如く、円筒体３１の一端部には、円筒体３１と連動して回転する回転板３２が設けられている。回転板３２は円形であり、その外周部にはその回転軸と同心状配列となるように複数個のスリット３２ａが形成されている。また、当該スリット３２ａの回転軌跡を挟んだ状態で対向する一対の発光素子と受光素子とからなるフォトカプラ３３が設けられている。円筒体３１が回転するとそれに連動して回転板３２が回転し、フォトカプラ３３が回転板３２に形成されたスリット３２ａの数を検出する。スリット３２ａは所定の角度ピッチを持って設けられているため、フォトカプラ３２がスリット３２ａの数を計数することによって、円筒体３１の回転角度を検出することができる。フォトカプラ３３は、スリット３２ａの検出数に応じた回転角度検出信号を主制御装置８０に供給し、これを受信した主制御装置８０は、円筒体３１の回転角度にも応じて、後述する励磁回路７０およびモータ駆動回路６０にそれぞれ励磁制御信号および回転制御信号を送信する。上記したモータ５０、モータ駆動回路６０、回転板３２、フォトカプラ３３により、本発明の回転駆動手段が構成され、円筒体３１および支持ロッド４１は、遊技状態や他の装置の動作タイミング等に応じた回転駆動制御がなされるのである。
【００１６】
支持ロッド４１の表面には複数の電磁石４２が設けられている。電磁石４２は、鉄等の磁性コアの周りに巻かれた励磁コイルを有し、その励磁コイルに電流を流すことで磁力を発生させる。その磁化方向は、円筒体３１及び支持ロッド４１の半径方向に沿った方向となる。複数の電磁石４２の各々に備えられた励磁コイルは互いに直列接続されており、励磁電流は全ての励磁コイルに同時に供給される。すなわち、これら複数の電磁石４２の磁力の発生および非発生のタイミングは互いに同期している。かかる電磁石４２の励磁制御は、パチンコ機１０の主制御装置８０が励磁制御信号を励磁回路７０に供給し、これを受信した励磁回路７０が当該励磁制御信号に基づき励磁コイルの通電電流の制御を行うことで達成される。
【００１７】
図４は、励磁回路７０の一例を示したものである。パチンコ機１０の主制御装置８０は、遊技状態や他の装置の動作タイミングに応じて、励磁電流のオン／オフの指令、通電期間および励磁電流の大きさを示す励磁制御信号を制御部７１に供給する。制御部７１は当該励磁制御信号に基づきスイッチ素子Ｑにこれを駆動するための駆動電圧を供給する。スイッチ素子Ｑは、励磁コイルＬに直列接続されており、制御部７１から供給される駆動電圧に基づき、電源Ｖｓより供給される励磁コイルＬに流れる励磁電流のオン／オフ制御、電流値制御を行う。スイッチ素子Ｑは、例えば電界効果トランジスタ（ＦＥＴ）により形成される。また、スイッチ素子Ｑに直列接続される電流検出回路７２は、励磁電流の大きさに応じた検出信号を制御部７１に供給し、これを受信した制御部７１は、当該励磁制御信号に基づく所定の励磁電流となるようにスイッチ素子Ｑの駆動電圧の制御を行う。励磁コイルＬの両端には、ダイオードＤが接続され、スイッチ素子Ｑのオンからオフの切り替わりの際に励磁コイルＬに発生する逆起電力の回生ルートを形成している。上記した構成の励磁回路７０により、本発明の励磁手段が構成され、電磁石４１は遊技状態や他の装置の動作タイミング等に応じた励磁制御がなされるのである。
【００１８】
尚、回転駆動する支持ロッド４１に設けられた電磁石４２に励磁電流を供給する方法としては、支持ロッド４１の表面に円周方向に伸びる一対のスリップリング（図示せず）と、これに摺接する一対のブラシ（図示せず）等の電流中継手段を設ける方法等が挙げられる。
【００１９】
また、図２に示す如く円筒体３１の下方には、上面に開口部を有する箱状の収納部９０が設けられており、その内部には複数の小吸着体９２が収納されている。本実施例においては図５（ａ）に示す如く、小吸着体９２は平坦であって魚の形状を模して形成されており、その一方の面には鉄等からなる磁性片９１が設けられている（図５（ｂ））。モータ５０の回転駆動により支持ロッド４１に設けられた電磁石４２が下向きすなわち、収納部９０の開口面に対向する位置に至り、励磁コイルに励磁電流が供給され磁力が発生すると、小吸着体９２に設けられた磁性片９１がその磁力に引き寄せられて、円筒体３１の表面に吸着することとなる。尚、小吸着体９２の形状は上記した例に限らずいかなる形状であってもよい。また磁性片９１は小吸着体９２の内部に埋設することとしてもよいし、小吸着体９２自体が鉄等の磁性体で形成されることとしてもよい。また、小吸着体９１は、電磁石４２が発生する磁力により吸着可能な範囲の重量とする必要がある。
【００２０】
次に上記した構成における可動役物装置３０の動作について、図６に示すフローチャートを参照しつつ説明する。本実施例においては、可動役物装置３０により高確率リーチを報知する演出表示を行う態様を一例として説明する。
【００２１】
遊技球が始動入賞口１９に入賞すると、入賞センサ（図示せず）により入球したことが検出される（ステップＳ０１）。この際に主制御装置８０は、始動入賞口１９への入賞を契機として大当たり抽選を開始するとともに、液晶表示装置１８に表示される図柄を変動させる。
【００２２】
主制御装置８０は、当該抽選の過程において大当たりに至る可能性が高いことを示すいわゆる高確率リーチの演出表示を実行するか否かを判断する（ステップＳ０２）。
【００２３】
主制御装置８０が、ステップＳ０２において高確率リーチの演出を実行しないと判断したときは（ステップＳ０２  Ｎｏ）、本ルーチンを終了させる。一方、ステップＳ０２において高確率リーチの演出を実行すると判断したときは（ステップＳ０２  Ｙｅｓ）、主制御装置８０はモータ駆動回路６０に向けてモータ５０の回転を開始すべき回転制御信号を送信する。モータ駆動回路６０は当該回転制御信号に基づき、モータ５０に駆動電力を供給し、モータ５０が回転駆動を開始する（ステップＳ０３）。モータ５０の回転に伴い、支持ロッド４１および円筒体３１が回転する。
【００２４】
回転支持ロッド４１上に設けられた電磁石４２が下向きすなわち、収納部９０の開口面に対向する位置に至ると（ステップＳ０４  Ｙｅｓ）、主制御装置８０はモータ駆動回路６０にモータ５０の回転を停止すべき回転制御信号を送信し、これによりモータの回転が停止し、これに伴い支持ロッド４１および円筒体３１の回転も停止する（ステップＳ０５）。上記した如く、モータ５０の回転角度はフォトカプラ３３が回転板３２に形成されたスリットの数を計数することにより検出され、当該回転角度検出信号が主制御装置８０に送信されるため、主制御装置８０は回転駆動を停止すべき所定位置を認識することが可能となる。
【００２５】
次に主制御装置８０は励磁回路７０に向けて、励磁電流の通電指令および励磁電流の大きさを示す励磁制御信号を送信する。励磁回路７０は当該励磁制御信号に基づき励磁コイルに励磁電流を供給する（ステップＳ０６）。これにより、全ての電磁石４２が磁力を発生させ、収納部９０内に収納されている複数の小吸着体９２を円筒体３１の表面に吸着せしめる。
【００２６】
続いて主制御装置８０は、モータ駆動回路６０にモータ５０の回転を開始すべき回転制御信号を送信し、これに基づきモータ５０が回転駆動し、これに伴い支持ロッド４１および円筒体３１が回転する（ステップＳ０７）。この回転により小吸着体９２は円筒体３１の外周に亘って満遍なく吸着し、この回転駆動の過程において、円筒体３１の表面に吸着した小吸着体９２は、遊技者と対向する位置を経由して回転するため遊技者はこれを視認することができる。
【００２７】
ステップＳ０７における回転駆動の開始からの回転角度が例えば３６０度に達すると（ステップＳ０８  Ｙｅｓ）、換言すれば電磁石４２および電磁石４２の磁力により円筒体３１に吸着している小吸着体９１が１回転して再び収納部９０の開口面に対向する位置に至ると、主制御装置８０はモータの駆動を停止する（ステップＳ０９）。続いて主制御部８０は、励磁回路７０に励磁電流の供給を遮断すべき励磁制御信号を発し、励磁コイルの通電を遮断する（ステップＳ１０）。これにより電磁石４２の磁力は消滅し、円筒体３１に吸着していた小吸着体９２は、収納部９０内に落下し回収される。
【００２８】
このように第１実施例によれば高確率リーチ等の遊技状態に応じて、円筒体３１の内部に設けられた電磁石４２の励磁制御がなされ、小吸着体９２を円筒体３１上に吸着せしめることで、液晶表示装置の画面上の表示によらず、実際に動きのある可動役物により遊技の演出を行うため、遊技者にとって斬新でインパクトのある演出を提供することができるのである。
【実施例２】
【００２９】
次に本発明の可動役物装置の第２の実施例について図７〜図１１を参照しつつ説明する。本実施例においては、図７に示す如く、支持ロッド４１の円周方向および長手方向の異なる位置に多数の電磁石４１が整列して設けられ、これら複数の電磁石４２に備えられた励磁コイルの各々は、励磁回路７０’により、個別に励磁制御がなされる。すなわち、電磁石４２の各々の磁力の発生／非発生のタイミングおよび磁力の強さは、個別に制御されるのである。
【００３０】
図８は、複数の励磁コイルの各々を個別に励磁制御する励磁回路７０’の一例を示したものである。図８に示す如く、複数の励磁コイルＬ１、Ｌ２、Ｌ３には、それぞれスイッチ素子Ｑ１、Ｑ２、Ｑ３が直列接続されており、各スイッチ素子Ｑ１〜Ｑ３には、制御部７１’から個別に駆動電圧が供給される。すなわち、パチンコ機１０の主制御装置８０は、遊技状態や他の装置の動作タイミングに応じて、励磁電流のオン／オフ指令、通電期間、励磁電流の大きさおよび通電すべき励磁コイルを示す励磁制御信号を制御部７１’に供給する。制御部７１’は当該励磁制御信号に基づき、通電すべき励磁コイルに対応するスイッチ素子にのみ駆動電圧を供給する。駆動電圧の供給を受けたスイッチ素子は対応する励磁コイルの通電のオン／オフ制御および電流値制御を行う。一方、制御部７０’から駆動電圧の供給を受けていないスイッチ素子は対応する励磁コイルの電流制御は行わない。
【００３１】
従って、選択的にコイルを励磁し、磁力を発生させることができ、これにより磁力を発生させる電磁石により図柄や模様等の演出表示パターンを構成することができる。そして、その演出表示パターンを構成する電磁石に小吸着体９２を吸着せしめることにより、当該小吸着体９２によって円筒体３１上にその演出表示パターンが表示されることとなる。この円筒体３１の表面に吸着した小吸着体９２により表示される複数の演出表示パターンはＲＯＭ等の記録媒体（図示せず）に記録され、演出表示を行う際に記録されたパターンの中から表示すべきパターンが選択される。これにより、演出表示パターンのバリエーションが多彩となり、遊技状態に応じた様々な演出表示パターンを表示することができるのである。
【００３２】
また図７に示す如く電磁石４２の磁性コアの形状は円筒体３１の長手方向に沿って伸びる矩形形状であり、また小吸着体９２の磁性片９１の形状もこれとほぼ同一寸法の矩形形状となっている。これにより、電磁石４２が磁力を発生させると、磁性コアと小吸着体９２の磁性片９１がちょうど重なるように吸着されるため、小吸着体９２は、電磁石４２の配列に沿って整列された状態で円筒体３２上に吸着されることとなる。図９に円筒体３２上に吸着した小吸着体９２によって表示される演出表示パターンの一例を示す。
【００３３】
さらに本実施例においては、図１０に示す如く円筒体３１の下方に２つの小収納部９０ａ、９０ｂが設けられている。図１０は本実施例の可動役物装置３０’の上面図である。小収納部９０ａ、９０ｂは、円筒体３１の下方であって、その長手方向をよぎる方向に連設され、また９０ａおよび９０ｂは互いに接合され一体化されている。また、小収納部９０ａ、９０ｂは中央役物装置１７内部の底面をなすステージ上に円筒体３１の長手方向をよぎる方向に沿って設けられた２本のガイド１０１に摺動可能に係合している。また、小収納部９０ｂの側壁部には、円筒体３１の長手方向をよぎる方向に延伸するねじ棒１０２に螺合する支持アーム１０３が接合されている。ねじ棒１０２は例えばステッピングモータ等の回転駆動制御可能なねじ棒駆動手段１０４によって回転駆動される。
【００３４】
すなわち、ねじ棒１０２が回転駆動することで、これに螺合する支持アーム１０３がねじ棒上を移動し、支持アーム１０３に連結された小収納部９０ａ、９０ｂもこれに伴って、ガイド１０１に沿ってステージ上を移動する。図１０（ａ）、（ｂ）はこの移動前後の状態を示しており、移動前（図１０（ａ））のホームポジションにおいては、小収納部９０ａが円筒体３１の直下に位置し、移動後（図１０（ｂ））においては、小収納部９０ｂが円筒体３１の直下に位置する。かかるねじ棒駆動手段１０４の駆動制御は、主制御装置８０が遊技状態や他の装置の動作タイミング等に応じて、ねじ棒駆動手段１０４の駆動指令および回転駆動方向を示す制御信号を制御部１０５に供給し、制御部１０５が当該制御信号に基づき支持アーム１０３およびこれに連結する小収納部９０ａ、９０ｂの移動距離や移動方向に相当する駆動信号をねじ棒駆動手段１０４に供給し、ねじ棒駆動手段１０４が当該駆動信号に基づき回転駆動することで達成される。
【００３５】
また、小収納部９０ｂの近傍に設けられたホームポジションセンサ１０６は、小収納部９０ａおよび９０ｂがホームポジション（図１０（ａ））にあるときにはこれに応動して検出信号を主制御装置８０に供給する。すなわち、このホームポジションセンサ１０６により、小収納部９０ａおよび９０ｂがホームポジションにあることが検出される。ホームポジションセンサ１０６は例えば、フォトインタラプタや磁気センサ等により構成することができる。上記したねじ棒１０２、支持アーム１０３、ねじ棒駆動手段１０４、制御部１０５、ホームポジションセンサ１０６により小収納部９０ａおよび９０ｂの位置決め手段が構成される。主制御装置８０は、位置決め手段の位置決め動作にも応じて励磁回路７０およびモータ駆動回路６０にそれぞれ励磁制御信号および回転制御信号を送信する。
【００３６】
かかる位置決め手段により、小収納部９０ａ、９０ｂの位置を移動せしめ、その内部に収納されている小吸着体９２ａ、９２ｂを円筒体３１の表面に選択的に吸着せしめることができるのである。すなわち。小収納部９０ａと９０ｂに互いに色、大きさ、形状等の異なる小吸着体を収納することにより、演出表示のバリエーションが更に多彩となるのである。従って、本実施例においては、例えばリーチアクションを行う際に大当たりに至る信頼度等に応じて、小吸着体により描かれる演出表示パターンや小吸着体の種類を変化させることにより、多彩なリーチアクションを表示することができ、遊技者の興趣を増すことができるのである。
【００３７】
次に上記した如き構成における可動役物装置３０’の動作について、図１１に示すフローチャートを参照しつつ説明する。本実施例においては、初期状態として、小収納部９０ａおよび９０ｂは図１０（ａ）に示すホームポジションにあったものとし、可動役物役物装置３０’により、小収納部９０ｂに収納された小吸着体９２ｂを吸着せしめ、高確率リーチを報知するときに、演出表示を行う態様を一例として説明する。また、ステップＳ１１およびステップＳ１２の動作は、先に説明した図６のフローチャートに示すステップＳ０１およびステップＳ０２の動作と同一であるため説明は省略する。
【００３８】
主制御装置８０は、ステップＳ１２において高確率リーチの演出を実行すると判断すると、ＲＯＭ（図示せず）に記録された演出表示パターンの中から１つを選択する（ステップＳ１３）。このステップＳ１３において、本実施例では上記した如く、小収納部９０ｂに収納された小吸着体９２ｂにより演出表示を行うことが選択されたものとする。
【００３９】
主制御装置８０は、小収納部９０ａおよび９０ｂの位置決め手段を構成する制御部１０５に対して小収納部９０ａおよび９０ｂを所定位置に移動すべき制御信号を供給する。これを受信した制御部１０５は、収納部９０ａおよび９０ｂの移動量に応じた駆動信号をねじ棒駆動手段１０４に供給する。ねじ棒駆動手段１０４は、当該駆動信号に基づき回転駆動を開始し、これに伴いねじ棒１０２が回転駆動を始める。ねじ棒１０２に螺合する支持アーム１０３は、ねじ棒１０２上を移動し、支持アーム１０３に連結された小収納部９０ａ、９０ｂが支持アーム１０３とともにステージ上を手前方向に移動し、円筒体３１の直下に小収納部９０ｂが到達すると（図１０（ｂ））停止する（ステップＳ１４）。
【００４０】
続いて主制御装置８０は、モータ駆動回路６０にモータ５０の回転を開始すべき回転制御信号を送信し、これに基づきモータ５０が回転駆動し、支持ロッド４１および円筒体３１が回転する（ステップＳ１５）。
【００４１】
回転支持ロッド４１上に設けられた電磁石４２が下向きすなわち、収納部９０ｂの開口面に対向する位置に至ると（ステップＳ１６  Ｙｅｓ）、主制御装置８０はモータ駆動回路６０にモータ５０の回転を停止すべき回転制御信号を送信し、これによりモータの回転が停止し、支持ロッド４１および円筒体３１の回転が停止する（ステップＳ１７）。
【００４２】
次に主制御装置８０は、励磁回路７０’に向けて、励磁電流の通電指令、励磁電流の大きさおよび通電すべき励磁コイルを示す励磁制御信号を送信する。通電すべき励磁コイルは、ステップＳ１３で決定した演出表示パターンに応じて選択される。励磁回路７０’は当該励磁制御信号に基づき通電すべき励磁コイルに励磁電流を供給する（ステップＳ１８）。これにより、所定の電磁石のみが磁力を発生させ、収納部９０ｂ内に収納されている複数の小吸着体９２ｂを円筒体３１の表面に吸着せしめる。この際、磁力を発生した電磁石によって模様や図柄等の演出表示パターンが構成されており、これに小吸着体９２ｂを吸着せしめることにより、演出表示パターンが円筒体３２上に描かれることとなる。
【００４３】
続いて主制御装置８０が、モータ５０の回転を開始すべき回転制御信号をモータ駆動回路６０に送信することによりモータ５０が回転し、支持ロッド４１および円筒体３１が回転する（ステップＳ１９）。この回転により小吸着体９２ｂは円筒体３１の外周に亘って満遍なく吸着し、この回転駆動の過程において、円筒体３１に吸着した小吸着体９２ｂは、遊技者と対向する位置を経由して回転するため、遊技者はこれを視認することができる。
【００４４】
ステップＳ１９における回転駆動の開始からの回転角度が例えば３６０度に達すると（ステップＳ２０  Ｙｅｓ）、主制御装置８０はモータの駆動を停止すべき回転制御信号をモータ駆動回路６０に供給し、これによりモータ５０の回転が停止する（ステップＳ２１）。続いて主制御装置８０は、励磁回路７０’に励磁電流の供給を遮断すべき励磁制御信号を発すると、電磁石４２の磁力は消滅し、円筒体３１に吸着していた小吸着体９２ｂは、収納部９０ｂ内に落下し回収される（ステップＳ２２）。
【００４５】
主制御装置８０は、位置決め手段を構成する制御部１０５に小収納部９０ａおよび９０ｂをホームポジションに移動すべき制御信号を供給する。これに応じてねじ棒駆動手段１０４が回転駆動を開始し、ねじ棒１０２が回転し、小収納部９０ａおよび９０ｂがステージ上を奥側方向に移動する。小収納部９０ａおよび９０ｂがホームポジションに至るとホームポジションセンサ１０６がこれを検出して主制御装置８０に検出信号を送信する。これを受信した主制御装置８０は、制御部１０５に駆動を停止すべき制御信号を送信し、ねじ棒駆動手段１０４の駆動を停止させ、小収納部９０ａおよび９０ｂはホームポジションで移動を停止する（ステップＳ２３）。
【００４６】
以上の説明から明らかなように、本発明の可動役物装置によれば液晶表示装置等の表示画面上の図柄やキャラクタの表示による演出のみならず、実際に動きのある可動役物による演出がなされるため、これまでにない斬新な演出を遊技者に提供することができる。
【００４７】
また、円筒体内部に設けられた複数の電磁石を個別に励磁制御することにより電磁石を選択的に励磁し、磁力を発生させる電磁石により模様や図柄等を構成し、これに小吸着体を吸着せしめることで演出表示パターンを表示することができる。また、記録媒体に複数の演出表示パターンを記録することで多彩な演出表示を備えることが可能となる。
【００４８】
更に、複数の小収納部を備え、その各々に互いに色や大きさや形状が異なる複数種の小吸着体を備え、大当たりの抽選結果に基づいて小収納部が選択され、すなわち、円筒体に吸着される小吸着体が選択される。これにより、円筒体に吸着される小吸着体による吸着態様のバリエーションが増加し、演出表示が単調となって遊技者に飽きられてしまうのを防止することができる。
【００４９】
更に、円筒体内部に設けられた電磁石が励磁され磁力を発生しているときに、円筒体は回転駆動される。これにより吸着体を円筒体の外周部に満遍なく吸着せしめ、これを回転駆動することで見た目のインパクトをより向上させることができる。
【００５０】
また、液晶表示画面において表示されるリーチアクション等の演出報知期間内に、当該リーチが大当たりに至る信頼度等に応じて、小吸着体により描かれる演出表示パターンや小吸着体の種類や数を変化させることにより、抽選結果が報知される前に、大当たりが確定するか否かの予兆を遊技者の視覚に強く訴えかけることができるのである。
【００５１】
尚、上記した実施例では、遊技状態が高確率リーチの場合にこれらの演出を行うこととしたがこれに限定されず、大当たりが確定した後に表示することとしてもよいし、遊技状態に関係なく定期に又は不定期に表示することとしてもよい。
【００５２】
また、実施例２において１回の演出表示で、別々の小収納部に収納された複数種の小吸着体を連続的に表示したり、複数種の演出表示パターンを連続的に表示することとしてもよい。この際、図１１に示すフローチャートのステップＳ１３の演出表示パターンの選択において複数の演出表示パターンが選択されることとなる。
【００５３】
また、励磁コイルに通電する励磁電流の大きさを制御することにより電磁石が発生する磁力の大きさを制御して、重さ（大きさ）の異なる小吸着体を選択的に吸着せしめることとしてもよい。
【図面の簡単な説明】
【００５４】
【図１】本発明の実施例である可動役物装置を備えたパチンコ機の概略正面図である。
【図２】図１におけるＡ−Ａ線断面図である。
【図３】本発明の実施例である可動役物装置の構成を示す図である。
【図４】本発明の実施例である励磁回路を示す図である。
【図５】本発明の実施例である小吸着体を示す図である。
【図６】本発明の実施例である可動役物装置の動作を示すフローチャートである。
【図７】本発明の他の実施例である可動役物装置の構成を示す図である。
【図８】本発明の他の実施例である励磁回路を示す図である。
【図９】本発明の実施例である可動役物装置による演出表示パターンの一例を示す図である。
【図１０】本発明の実施例である小収納部の位置決め手段を示す図である。
【図１１】本発明の他の実施例である可動役物装置の動作を示すフローチャートである。
【符号の説明】
【００５５】
１０  パチンコ機
１２  遊技盤
１７  中央役物装置
１８  液晶表示装置
３０  可動役物装置
３１  円筒体
３２  回転盤
３３  フォトカプラ
４１  支持ロッド
４２  電磁石
４３  回転軸部
５０  モータ
６０  モータ駆動回路
７０  励磁回路
８０  主制御装置
９０  収納部
９１  磁性片
９２  小吸着体
１０２  ねじ棒
１０３  支持アーム
１０４  ねじ棒駆動手段
１０５  制御部
１０６  ホームポジションセンサ
【図１】
0004608452.tif 000002
【図２】
0004608452.tif 000003
【図３】
0004608452.tif 000004
【図４】
0004608452.tif 000005
【図５】
0004608452.tif 000006
【図６】
0004608452.tif 000007
【図７】
0004608452.tif 000008
【図８】
0004608452.tif 000009
【図９】
0004608452.tif 000010
【図１０】
0004608452.tif 000011
【図１１】
0004608452.tif 000012